Podtech/llm-jp-corpus-v4-ja_patent huggingface dataset:
(57)【要約】      （修正有）【課題】頭付ボルトをねじ込んだとき、振動等により生じる緩みを確実に、しかも簡単な作業により制止するものである。【解決手段】頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より深くまで垂直に２本の錐孔４を穿孔しておき、頭付ボルトを上部材１４のボルト孔１５を通して、下部材１７にねじ込んだ後、この２本の錐孔を通して上部材のボルト孔の入口角部１６に向って門形釘５を打込み、その釘の両足先端の楔部角の切刃９をそこに食込ませて、上部材に頭付ボルトを結合させて、その回転を阻止する、次に頭付ボルトの頭部上面にねじ込んでいる長尺角頭ボルトの頭部１２を折り曲げて門形釘を押え込み、その脱落を阻止する。【選択図】図１
2018071777.tif 000002
【特許請求の範囲】
【請求項１】
頭付ボルトの緩み止めの構造において、頭付ボルト（１）の頭部上面にボルトのねじ外径と同寸法の円形の罫描線を描き、この線上の１８０°相対する２ケ所の位置よりボルト頭部（２）を貫通して、その下面（３）より深くまで垂直に２本の錐孔（４）を穿孔しておき、頭付ボルトを上部材（１４）のボルト孔（１５）を通して、下部材（１７）にねじ込んだ後、この２本の錐孔を通して上部材のボルト孔の入口角部（１６）に向って門形釘（５）を打込み、その釘の両足先端の楔部角の切刃（９）をそこに食込ませて、上部材に頭付ボルトを結合させて、その回転を阻止する、次に長尺角頭ボルト（１１）を頭付ボルトの頭部上面の中央近くの小ねじ孔（１０）にねじ込み、その長尺角頭部（１２）を約９０°折り曲げて門形釘の中央部（６）を押え込むことにより、その脱落を阻止するようにした頭付ボルトの緩み止めの構造。
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より深くまで垂直に２本の錐孔４を穿孔しておき、頭付ボルトを上部材１４のボルト孔１５を通して、下部材１７にねじ込んだ後、この２本の錐孔を通して上部材のボルト孔の入口角部１６に向って門形釘５を打込み、その釘の両足先端の楔部角の切刃９をそこに食い込ませて、上部材に頭付ボルトを結合させて、その回転を阻止する。【０００５】  次に長尺角頭ボルト１１を頭付ボルトの頭部上面の中央近くの小ねじ孔１０にねじ込み、その長尺角頭部１２を約９０°折り曲げて門形釘の中央部６を押え込むことにより、その脱落を阻止するようにする。
【発明の効果】
【０００６】  本発明の実施により頭付ボルトを強く締め込んだ後、簡単な方法で確実な緩み止めが可能になる。
【図面の簡単な説明】
【０００７】
【図１】本発明の実施形態の一例として、頭付ボルトをねじ込んだ後、その頭部より門形釘を打込み、その門形釘を長尺角頭ボルトで押圧した状態の縦断面図
【図２】図１の平面図
【図３】図１の側面図
【図４】本発明の実施形態の一例として門形釘の正面図
【図５】図４の底面図
【図６】図４の側面図
【図７】本発明の実施形態の一例として長尺角頭ボルトを折り曲げる前の状態の正面図
【図８】図７の平面図
【図９】図７の側面図
【発明を実施するための形態】
【０００８】  頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より深くまで垂直に２本の錐孔４を穿孔しておき、頭付ボルトを上部材１４のボルト孔１５を通して、下部材１７にねじ込んだ後、この２本の錐孔を通して上部材のボルト孔の入口負部１６に向って門形釘５を打込み、その釘の両足先端の楔部角の切刃９をそこに食込ませて、上部材に頭付ボルトを結合させて、その回転を阻止する。
【０００９】  次に長尺角頭ボルトの四角形の長尺角頭部１２にスパナをかけて頭付ボルトの頭部上面の中央近くの小ねじ孔（１０）にねじ込み、その長尺角頭部１２を約９０°折り曲げて門形釘の中央部６を押え込むことにより、その脱落を阻止するようする。
【００１０】  頭部上面の小ねじ孔１０は門形釘の位置より少し外れていて、門形釘の打込みには触れないため、この打込みより先立って小ねじ孔に長尺角頭ボルトをねじ込んでおくことができる、これにより作業時間を短縮する利点がある。
【符号の説明】
【００１１】  １・・・頭付ボルト                    ２・・・ボルト頭部
３・・・ボルト頭部の下面              ４・・・頭付ボルトの錐孔
５・・・門形釘                        ６・・・門形釘の中央部
７・・・門形釘の両足                  ８・・・門形釘の両足先端の楔部
９・・・楔部角の切刃                １０・・・頭付ボルトの小ねじ孔
１１・・・長尺角頭ボルト              １２・・・長尺角頭ボルトの長尺角頭部
１３・・・長尺角頭ボルトのねじ部      １４・・・上部材
１５・・・上部材のボルト孔            １６・・・ボルト孔の入口角部
１７・・・下部材                      １８・・・下部材の雌ネジ
【図１】
2018071777.tif 000003
【図２】
2018071777.tif 000004
【図３】
2018071777.tif 000005
【図４】
2018071777.tif 000006
【図５】
2018071777.tif 000007
【図６】
2018071777.tif 000008
【図７】
2018071777.tif 000009
【図８】
2018071777.tif 000010
【図９】
2018071777.tif 000011
(57)【要約】【課題】  本発明は、壁等から飛び出した釘の釘先を保護することができる新規な釘先ガードの提供を目的とする。【解決手段】  本発明の釘先ガード１０は、硬いケース１１と、ケース１１に収容されるとともに弾性を有する保護体１２とから構成される。これによって、針先ガード１０が、壁Ｗから飛び出た釘Ｎの釘先を覆って保護する。【選択図】  図２
2018071608.tif 000002
【特許請求の範囲】
【請求項１】
壁から飛び出た釘の釘先を保護するための釘先ガードであって、
ケースと、前記ケースに収容されるとともに弾性を有する保護体とから構成されることを特徴とする釘先ガード。
【請求項２】
請求項１に記載の釘先ガードにおいて、前記針先ガードが、ドーム形状であることを特徴とする釘先ガード。
【請求項３】
請求項１または２に記載の釘先ガードにおいて、前記保護体が、前記釘先を貫通可能な弾性材料から形成される、ことを特徴とする釘先ガード。
【請求項４】
請求項１〜３のいずれか1項に記載の釘先ガードにおいて、前記保護体の一部が、前記釘先ガードの平面に露出している、ことを特徴とする釘先ガード。
【請求項５】
請求項１〜４のいずれか1項に記載の釘先ガードにおいて、前記釘先ガードを前記壁に固定するための接着体を備えることを特徴とする釘先ガード。
【発明の詳細な説明】
【技術分野】
【０００１】
本発明は、釘またはピンの尖った末端をガードする釘先ガードに関する。
【背景技術】
【０００２】
従来、壁等に釘を打ち付ける際、壁厚が釘の長さより小さいと、尖った釘先が壁を貫通して、壁から外に飛び出す。一方、特許文献１には、板に打ち付けた釘の釘頭を保護する保護板を設けることが記載されている。
【先行技術文献】
【特許文献】
【０００３】
【特許文献１】実公平３−２３９２６号公報
【発明の概要】
【発明が解決しようとする課題】
【０００４】
従来は壁から飛び出した釘先が手に刺さり、怪我をするおそれがあった。また、壁から飛び出した釘先は、他の物品を傷つけるおそれもあった。特許文献１には、釘頭を保護する保護板を設けるものであるが、釘先を保護するものではない。本発明は、壁等から飛び出した釘の釘先を保護することができる新規な釘先ガードの提供を目的とする。
【課題を解決するための手段】
【０００５】
本発明は次の通り構成される。
（態様１）壁から飛び出た釘の釘先を保護するための釘先ガードであって、ケースと、前記ケースに収容されるとともに弾性を有する保護体とから構成されることを特徴とする釘先ガード。
（態様２）態様１に記載の釘先ガードにおいて、前記針先ガードが、ドーム形状であることを特徴とする釘先ガード。
（態様３）態様１または２に記載の釘先ガードにおいて、前記保護体が、前記釘先を貫通可能な弾性材料から形成される、ことを特徴とする釘先ガード。
（態様４）態様１〜３のいずれか1項に記載の釘先ガードにおいて、前記保護体の一部が、前記釘先ガードの平面に露出している、ことを特徴とする釘先ガード。
（態様５）態様１〜４のいずれか1項に記載の釘先ガードにおいて、前記釘先ガードを前記壁に固定するための接着体を備えることを特徴とする釘先ガード。
【発明の効果】
【０００６】
本発明の針先ガードは、壁から飛び出た釘の釘先を保護体の弾性により保持しつつ、針先を覆って保護することができる。
【図面の簡単な説明】
【０００７】
【図１】本発明の第１の実施形態に係る釘先ガードの斜視図である。
【図２】図１の釘先ガードの、（ａ）使用前の状態、（ｂ）使用時の状態を示す断面図である。
【図３】本発明の第２の実施形態に係る釘先ガードの斜視図である。
【図４】図３の釘先ガードの、（ａ）使用前の状態、（ｂ）使用時の状態を示す断面図である。
【発明を実施するための形態】
【０００８】
本発明の釘先ガードに係る各実施形態を、以下説明する。なお、各実施形態において、共通する部分は同じ符号を付し、重複する説明は適宜省略する。
【０００９】
〔第１の実施形態〕
本発明の第１の実施形態に係る釘先ガード１０を図１〜２を参照して説明する。釘先ガード１０は、ほぼドーム形状のケース１１と、ケース１１に収容された保護体１２とから構成される。ケース１１は、比較的硬いプラスチック等の材料から成型されるため、釘先が貫通しにくい。
【００１０】
保護体１１は釘先を収容して保護するために用いられる。保護体１１は、比較的弱い弾性及び針先が容易に貫通する程度の貫通性（プラスチック消しゴムと同等の弾性及び貫通性）を有する材料から形成することができる。例えば、シリコーン等の合成ゴムから形成することができる。保護体１１の弾性が強すぎると、釘先が刺さりにくくなるため、保護体１１の材料として、合成時にモノマーを一部架橋して比較的弾性を弱く調整した合成ゴムを用いることができる。または、保護体１１の材料として、プラスチック消しゴムと同様の材料、即ち、塩化ビニルに可塑剤を加えたものを用いることもできる。また、保護体１２が弾性を有することにより、釘先が刺さった状態で抜けにくくなる。保護体１１の一部は、針先を突き刺すために、釘先ガード１０の円形平面１０ａに露出している。
【００１１】
次に、第１の実施形態の釘先ガード１０の使用状態を説明する。図２（ａ）に示す状態において、釘Ｎは壁Ｗに打ち付けれ、その釘先が壁Ｗから飛び出している。この状態で、釘先を釘先ガード１０の円形平面１０ａに突き刺すと、針先は保護体１２に突き刺さり、図２（ｂ）の状態となる。図２（ｂ）の状態で、釘先ガード１０は、釘先を保護しており、保護体１２の弾性により保護体１１自体が釘先を保持することができる。また、釘先ガード１１は、ドーム状であり釘先ガード１１の正面に手が物品が衝突しても、これらに刺さって怪我をしたり破損しにくい。また、針先ガード１０を手でなでるようにしても、突起等がないので手が引っかかることもない。
【００１２】
〔第２の実施形態〕
本発明の第２の実施形態に係る釘先ガード２０を図２〜３を参照して説明する。釘先ガード２０は、その円形平面２０ａに接着体１２が設けられている。接着体１１は、好ましくは両面テープ、または接着剤等から構成することができる。接着体１２を設けることにより、釘先ガード２０を壁Ｗに確実に固定することができる。
【符号の説明】
【００１３】
１０  釘先ガード
１１  カバー
１２  保護体
２０  釘先ガード
２１  接着体
【図１】
2018071608.tif 000003
【図２】
2018071608.tif 000004
【図３】
2018071608.tif 000005
【図４】
2018071608.tif 000006
(57)【要約】【課題】  従来の技術としては、集合住宅における換気用小窓を利用して、新たに製作した換気装置を設けるもので、集合住宅用でありかつ、新規に製作する必要があり、かつ、新規に製作する必要があり、コスト的な問題がある。また、集合住宅用であり、一般住宅の空家には使用できないものである。【解決手段】電源が切ってある空家になった家に取り付けてある換気扇を使用し、この換気扇にソーラー発電機及び／または風力発電機を取り付けてなることを特徴とする。【選択図】図１
2018071957.tif 000002
【特許請求の範囲】
【請求項１】
電源が切ってある空家になった建物に取り付けてある換気扇を使用し、この換気扇にソーラー発電機及び／または風力発電機を取り付けてなることを特徴とする空家用換気装置。
【請求項２】
バッテリーを設けてなることを特徴とする請求項１記載の空家用換気装置。
【請求項３】
タイマーを設けてなることを特徴とする請求項１又は２記載の空家用換気装置。
【請求項４】
湿度センサー及び／または温度センサーを設けてなるコントローラーを付設してなることを特徴とする請求項１、２又は３記載の空家用換気装置。
【請求項５】
入力１２Ｖあるいは２４Ｖを出力１００Ｖにするインバーターを設けてなることを特徴とする請求項１、２、３又は４記載の空家用換気装置。
【発明の詳細な説明】
【技術分野】
【０００１】  本発明は、電源が切ってある空家の室内環境（建具の狂いやカビの発生等）を良くするための空家用換気装置に関するものである。
【背景技術】
【０００２】  従来の技術として、集合住宅の引き戸や引き違い窓上部に設けられた換気用小窓を開口して開口部を構成し、該引き違い戸や引き違い窓上部に設けられた換気用小窓の開口部に雨水吹き込み防止カバーを兼用する筐体を着脱自在に設置し、該筐体の内部にソーラー電池で駆動するモーターとファンを備えた換気機構を設けたこと、を特徴とする集合住宅における空家、空室時用の省エネルギー換気並びに臭気抜き装置がある。（特許文献１参照）
【先行技術文献】
【特許文献】
【０００３】
【特許文献１】  特開２００８−２５６２７４号公報
【発明の概要】
【発明が解決しようとする課題】
【０００４】  上記従来技術は、集合住宅における換気用小窓を利用して、新たに製作した換気装置を設けるもので、集合住宅用でありかつ、新規に製作する必要があり、コスト的な問題がある。
また、集合住宅用であり、一般住宅や事務所・倉庫・別荘等の空家には使用できないものである。【０００５】  本発明は、このような従来の構成が有していた問題を解決しようとするもので、主に各地域で問題になっている電源が切ってある空家の特に内部の傷みやカビの発生等を押さえるためのもので、すでに家に設けてある換気扇を利用し、空家内の空気を外に排出することにより空家内の環境（建具の狂いやカビの発生等）を良くする空家用換気装置を提供することを目的とする。
【課題を解決するための手段】
【０００６】  本発明は、上記目的を達成するために、電源が切ってある空家になった建物に取り付けてある換気扇を使用し、この換気扇にソーラー発電機及び／または風力発電機を取り付けてなること。バッテリーを設けてなること。タイマーを設けてなること湿度センサー及び／または温度センサーを設けてなるコントローラーを付設してなること。入力１２Ｖあるいは２４Ｖを出力１００Ｖにするインバーターを設けてなることを特徴とするものである。
【発明の効果】
【０００７】１）、電源が切ってある建物（空家）にすでに設けてある換気扇を利用するため、コスト面や工事面でのメリットが大きい。
２）、バッテリーを設けることにより、必要時に換気扇を回すことができる。
３）、タイマーを設けることにより、効率よく換気扇を回すことができる。
４）、コントローラーにより、湿度や温度のバランスを考え、最適時に換気扇を回すことができるため、より建具の狂いやカビの発生を防止できる。
５）、インバーターにより、１００Ｖ対応の換気扇に対応できる。
【図面の簡単な説明】
【０００８】
【図１】  本発明の第１実施例を示す空家用換気装置の構成図。
【図２】  本発明の第２実施例を示す空家用換気装置の構成図。
【図３】  本発明の第３実施例を示す空家用換気装置の構成図。
【発明を実施するための形態】
【０００９】  第１実施例の空家用換気装置１について説明する。
すでに、電源が切ってある空家（図示せず）になっている台所等に設けられている換気扇２に対して、室外に設けたソーラー発電機３及び／または風力発電機４を取り付け、インバーターＩＢ（例えば１２Ｖ→１００Ｖ）を介して換気扇２を回すものである。
【００１０】  空家用換気装置１は、ソーラー発電機３からの電力をインバーターＩＢを介して直接換気扇２に供給することができ、昼中に回すことができるものである。
【００１１】  また、風力発電４から電力をインバーターＩＢを介して直接供給することにより昼でも夜でも風が吹いていれば回すことができる。
【００１２】  第２実施例の空家用換気装置２１について説明する。
空家用換気装置２１は、前記空家用換気装置１の構成に加え、バッテリー５とタイマー６を設けたもので、バッテリー５にてタイマー６を作動させ、必要な時間帯に換気扇２を回すことができる。
【００１３】  第３実施例の空家用換気装置３１について説明する。
空家用換気装置３１は、前記空家用換気装置１の構成に加え、バッテリー５とコントローラー７を設けたもので、バッテリー５にてコントローラー７を作動させ、湿度センサー７ａと温度センサー７ｂにより換気のタイミングをチェックし、換気扇２を回すことができるものである。
【００１４】  上記各実施例において、ソーラー発電機３・風力発電機４・インバーターＩＢ等の能力や大きさ等は必要に応じて決定すればよい。
また、ソーラー発電機３等とインバーターＩＢやバッテリー５との連結コードは、換気扇２の羽と枠の隙間に通せばよく、穴開け工事も不要で施工できるものである。
さらに、建物（空家）として、一般住宅に限定せず、事務所・倉庫・別荘等、色々考えられる。
【産業上の利用の可能性】
【００１５】  特に、過疎地における空家は数多く存在し、空き家バンク等に登録し、販売している自治体も多い。
ただ、空気の入れ替えをしない空家をそのままにしておくと数ヶ月で室内が傷んでしまい売る時に安価になってしまう場合が多くあるのが現状です。
よって、わざわざ１ヶ月に２〜３回天気の良い日に風通ししている物件もありますが、持ち主が遠方の方であれば無理であり、空家を傷めてしまっているのが現状であり、市場性は高く、待ち望まれるものである。
また、素人でも施工できることは現場にとって非常に有効である。
【符号の説明】
【００１６】１―――空家用換気装置
２―――換気扇
３―――ソーラー発電機
４―――風力発電機
５―――バッテリー
６―――タイマー
７―――コントローラー
【図１】
2018071957.tif 000003
【図２】
2018071957.tif 000004
【図３】
2018071957.tif 000005
(57)【要約】【課題】建築構造物の地下ピット部分を鉄筋コンクリートで構築する場合に、連通管内の異物の有無や状態を確認し、地下ピットという狭い空間でも、素早く確実に連通管の通水機能検査をすることを課題とする。【解決手段】上記課題を解決するためになされたもので、建築構造物のピット間にある連通管の通水機能検査をする器具であって、半円状の板と、当該板に垂直に取り付けられた棒状の柄と、からなることを特徴とする。【選択図】図１
2018100869.tif 000002
【特許請求の範囲】
【請求項１】
建築構造物のピット間にある連通管の通水機能検査をする器具であって、
半円形状の板と
当該板に垂直に取り付けられた棒状の柄と
からなることを特徴とする検査器具。
【請求項２】
前記板または前記柄には、
カメラが取り付けられていることを特徴とする請求項１に記載の検査器具。
【発明の詳細な説明】
【技術分野】
【０００１】
建築構造物の地下ピット部分を鉄筋コンクリートで構築する場合に、ピット間の通水のためにピット間を連通管によって連結させる場合がある。本発明は、ピット構築の際に、連通管内の異物の有無や状態を確認し、通水機能検査をする器具に関するものである。
【背景技術】
【０００２】
一般に、ピット間に設けられる通水のための連通管は、地下ピットの壁となる立ち上がり部のコンクリートを打設する際に、予め立ち上がり部の底に、半割塩ビ管や半割ボイド管の様な半円筒形状の型枠を伏せて固定し、連通管の型枠や捨て型枠とする場合が多い。この際、連通管の型枠の固定や塞ぎが不十分だと、コンクリート打設時に、コンクリートが連通管の型枠の中に入ってしまい、連通管にコンクリートが詰まって、十分な通水機能を果たせず、水が正常に流れないなどの不具合へとつながるおそれがある。
【０００３】
そのために、地下ピットの型枠脱型後に、全ての連通管の通水機能検査をする必要がある。連通管は、ピット底レベルなど低い位置に取り付いており、奥まで覗き込んで連通管の中の状況を直接目視で確認することが難しく、連通管の一方の端部のみを見てOKとしてしまい、正しい検査ができていない場合があった。そこで地下ピットという狭く暗い空間でも、素早く確実に連通管の通水機能検査ができる器具が求められていた。
【発明の概要】
【発明が解決しようとする課題】
【０００４】
建築構造物の地下ピット部分を鉄筋コンクリートで構築する場合に、連通管内の異物の有無や状態を確認し、地下ピットという狭い空間でも、素早く確実に連通管の通水機能検査をすることを課題とする。
【課題を解決するための手段】
【０００５】
本発明は上記課題を解決するためになされたもので、建築構造物のピット間にある連通管の通水機能検査をする器具であって、半円状の板と、当該板に垂直に取り付けられた棒状の柄と、からなることを特徴とする検査器具である。
【発明の効果】
【０００６】
地下ピットの型枠脱型後に、連通管の通水機能検査をする際に、連通管がピット底レベルなど低い位置にあって、連通管の奥まで覗き込んで連通管の中の状況を直接目視で確認することが難しくても、本発明の検査器具を連通管に通して、抵抗なく貫通することを確認できればよく、地下ピットという狭く暗い空間でも、素早く確実に連通管の通水機能検査ができる。
【図面の簡単な説明】
【０００７】
【図１】第一の実施形態による検査器具の図である。
【図２】検査器具の使用方法を示した図である。
【図３】第二の実施形態による検査器具の図である。
【発明を実施するための形態】
【０００８】
＜第一の実施形態＞
第一の実施形態の検査器具１は、図１に示すように、通水機能を検査する通水管断面とほぼ同断面形状で若干小さい形状の金属、木材またはプラスチックの板１１と、当該板に垂直に取り付けられた棒状の金属、木材またはプラスチックの柄１２と、から構成される。例えば、当現場では直径100ｍｍと150ｍｍの２種類の半割塩ビ管による半円柱形状の連通管であったので、板１１は、直径90ｍｍと140ｍｍの半円形状の２種類の鉄板とした。棒状の柄１２は鉄筋を溶接して、通水機能を検査する通水管の長さ以上の長さとした。現場で容易に揃えることのできる資材で任意の大きさの器具が作成が可能である。
【０００９】
地下ピットの型枠脱型後に、図２に示すように、通水機能を検査する通水管の一方の口から、半円形状の板１１を挿入して他方の口まで抵抗なく貫通すれば、管の中にコンクリート等の異物が付着していないかを確認でき、通水機能に問題ないと判断する。異物がある場合には、器具の挿入長さによってその箇所を特定することができる。管内を直接覗くことなく通水の確認ができるため、検査の効率化をはかることができる。
【００１０】
＜第二の実施形態＞
第二の実施形態の検査器具は、第一の実施形態の検査器具に追加して、板１１または前記柄１２の先端部に、カメラが取り付けられていることを特徴とする。図２は、鉄板１１に穴をあけて柄１２の先端にＬＥＤライト付きカメラを取り付けると共に、カメラとスマートフォンをケーブルでつないで、カメラの画像をスマートフォンでみたり記録したりできるようにした。
【００１１】
この器具を使用することで効率的にピット内連通管の通水機能を確認できる。また、検査の際にも連通管の通水機能が確保されていることを「見える化」できる。更にＬＥＤライト付ファイバースコープで通管内の様子を見ることにより、不具合の原因がわかり対策がたてやすくなる。また、検査の映像をスマホなどとつないで記録しておけば、見落としのないより確実な検査記録となり品質向上につながる。
【符号の説明】
【００１２】
１…通水機能検査器具
１１…板
１２…柄
１３…ＬＥＤライト付きカメラ
１４…スマートフォン
【図１】
2018100869.tif 000003
【図２】
2018100869.tif 000004
【図３】
2018100869.tif 000005
(57)【要約】【課題】従来のもぐら忌避剤は即効性がなく、かつ効果の永続性がなく、もぐらがすぐに馴化してしまうものが多く、問題があった。人間にとっての悪臭や刺激あるものがもぐらにとっても苦痛との思い込みでこれらが忌避有効成分として利用されてきたための問題であった。また、有効成分とされるものの中には環境汚染をおこしたり、農作物の生育阻害を起こしたり、人体に刺激を与えたり、悪臭など不快感を与えるものもありこれらのない忌避有効成分を作成する必要があった。【解決手段】ナマコを低温で５ミクロン以下の微粒子にすればもぐらの忌避有効物質が得られる。または椿の果実の５ミクロン以下の微粒子からも低温で抽出すれば忌避有効物質が得られる。これらをゲル化して揮散をコントロールすれば永続性がある忌避剤として使用可能となる。【選択図】なし【特許請求の範囲】
【請求項１】
生のままあるいは低温で天日乾燥したナマコを、特製石臼によって非加熱状態で微粒子５ミクロン以下に粉砕し、テングサ由来の寒天に忌避有効  成分が分解しない低温加熱状態（４０℃以上５８℃以下）で混合した後、ゲル化させたもぐら忌避剤。
【請求項２】
成熟した生の椿の果実（果皮と種子）とおよび葉を、特製石臼によって非加熱状態で５ミクロン以下の微粒子に粉砕し、テングサ由来の寒天に忌避有効成分が分解しない低温加熱状態（４０℃以上５８℃以下）で混合した後、ゲル化させたもぐら忌避剤。
【請求項３】
もぐら忌避有効成分を含むゲル化した寒天からの有効成分および水分の揮散を一定レベルで抑制するための多くの針穴あきの合成樹脂フィルムの蓋もしくは袋を内部に備えたゲル容器。
【発明の詳細な説明】
【技術分野】
【０００１】本発明は、もぐらの忌避方法及び忌避剤に関し、環境や野菜等の農作物を有害物質で汚染することなく、また人体に害を及ぼすことなく安全に優れた忌避効果を即効的にかつ持続的に安価に提供する忌避方法及び忌避剤に関する。
【背景技術】
【０００２】近年、ゴルフ場、公園、運動場や各種の農作物の畑，農園において、もぐらによる各種の被害が相次いでいるため、現在まで様々なもぐら撃退法が開発されてきた。その方法は、もぐらの嫌う音や振動、電流を使用するなど物理的な撃退法をはじめ、殺虫剤等の薬剤を用いる方法や唐辛子やわさびのような強い刺激物またはニンニクやニラやネギや木タール、木酢液のような強い臭気を持った物質を散布またはもぐら穴に埋設したり、ガスとしてを送り込んだりする方法など様々な方法が開発され実施されてきた。【０００３】しかしながらこれらの方法はいづれも、導入コストが高かったり、場所によっては必要な電源を得にくかったり、またもぐらの馴化性が高いため効果の永続性がなかったり、そもそも忌避効果が弱く即効性がなかったり、水溶性でないものの場合は効果範囲が狭く薬剤の初期配置量やその配置作業が多かったり、さらに使用する化合物によっては農作物や周辺環境を化学物質で汚染したり、農作物を生育阻害したり、また人体に対しては刺激物が目その他の粘膜に付着して有害であったり、強い臭気が人に不快感を与えるため使用しにくいなどの様々な欠陥がある。
【先行技術文献】
【特許文献】
【０００４】
【特許文献１】特開２０１４−２１０７９１号公報
【特許文献２】特開２０１４−２１０７７１号公報
【特許文献３】特開２００９−１２０５５０号公報
【特許文献４】特開２００９−０５７２９８号公報
【特許文献５】特開２００８−２２０１８１号公報
【特許文献６】特開２００６−２６５５５８号公報
【特許文献７】特開２００５−１７９３３０号公報
【発明の概要】
【発明が解決しようとする課題】
【０００５】忌避剤を製造する工程で酵素等の忌避有効成分を分解しないことが最も求められる。既存の加工方法のように高温加熱や煮沸による溶解やアルコール等の溶媒による成分抽出の工程では有効成分が分解し、効果の低い忌避剤しか得られない。【０００６】また低温抽出を可能とするには、事前に、使用する原料のひとつづつの細胞の細胞膜を物理的に粉砕して、有効成分を取りだしておかなければならない。【０００７】環境汚染がなく、作物の発育阻害がなく、人体への刺激などの影響がない天然物で、悪臭もなくかつ低コストの原料を使用しなければならない。【０００８】製品となった忌避剤は、数か月くらいの長期使用が可能でなければならなため、成分揮散が緩やかでなければならない。
【課題を解決するための手段】
【０００９】有効成分を取り出すために原料の細胞膜を低温で破壊し５ミクロン以下にしなければならない。原材料として低温で天日乾燥したナマコまたは生ナマコを本出願者の一人である湯澤猛の発明よるひき臼（特開平１２−１１９１９１粉末レイシ製造用石臼及びその石臼を使用した粉末レイシの製造方法）により粉砕する。一般にこのような粉砕をおこなう場合、凍結乾燥を行うが、忌避剤の有効成分はその凍結乾燥気化熱による温度上昇ででさえも分解するため記以外の方法では不可能である。【００１０】原料としてはナマコに代わるものとして椿を使用しても効果的なもぐら忌避成分が得られる。この場合、使用する椿の部位は果実まるごと（果皮と種子）および葉で、なまの状態のものをミキサーで粗びきした上でひき臼で５ミクロン以下に粉砕する。【００１１】別途にテングサ由来の寒天を作り置き、ゲル化していないゾルの状態（およそ４０℃以上で寒天製品によって変動）でかつ忌避剤有効成分が分解しない温度以下（最高限度およそ５８℃）まで下げておいて、これと混合する。そのゾルの状態で小分け容器に注入した後、冷却してゲル化して製品とする。【００１２】容器は深さ２ｃｍ、縦５ｃｍ、横６ｃｍで６０ｍｌの容量の直方体とし寒天を一杯に充填する。容器にはゲルの寒天からの忌避有効成分と水分の揮散を抑制するため微細な針穴が多数あけられた合成樹脂膜の内カバーまたは内袋が寒天をカバーしており、使用時に外ふたまたは外箱を外して使用する。
【発明の効果】
【００１３】もぐらが馴化しない忌避有効成分が十分含有されているため即効性があると同時に永続性がある。また１箱６０ｍｌで半径３０ｍを忌避領域として６か月程度カバーするため忌避剤使用量は比較的少量で済むし設置作業量も少なく簡単で安全。設置後も環境汚染がなく、無害で悪臭もなく、ひとにも安全で快適でゴルフ客などスポーツでの利用客などにも悪影響がない。
【発明を実施するための形態】
【００１４】もぐらの発生が確認された場所でもぐら穴が確認された場合はもぐら穴の入り口に忌避剤のふたをはずして土に埋もれるよう埋設する。さらにもぐらの巣があると想定される方角の数十メートル先にも地上に設置する。予防のための場合は、半年ごとに３０メートルごとに地上に放置する。
(57)【要約】【課題】従来のクマの忌避は音声や光，超音波や電流を使う防護柵など物理的な方法が主でこれらはコストがかかり、また一方で忌避剤は即効性がなく、かつ効果の永続性がなく、クマがすぐに馴化してしまうものが多く、問題があった。人間にとっての悪臭や刺激あるものがクマにとっても苦痛との思い込みでこれらが忌避有効成分であるとして利用されてきたが効果には疑問があった。また、忌避剤の有効成分とされるものの原料の中にはコストが高かったり、環境汚染をおこしたり、人体に刺激を与えたり、悪臭など不快感を与えるものもありこれらのない忌避有効成分を作成する必要があった。【解決手段】生ナスのヘタ近くの部位を低温で５ミクロン以下の微粒子にすればクマの忌避有効物質が得られる。または、生のシキミの実、枝，葉を５ミクロン以下の微粒子とし低温加工すれば同様な忌避有効物質が得られる。これらを低温でゲル化して有効忌避成分の揮散をコントロ‐ルすれば永続性がある忌避剤として使用可能となる。【選択図】なし【特許請求の範囲】
【請求項１】
生のままのナスを、ヘタをふくんで上部３分の２を切り取り、特製石臼によって非加熱状態で５ミクロン以下の微粒子に粉砕し、テングサ由来のゾル状の寒天に忌避有効成分が分解しない低温加熱状態（４０℃以上５８℃以下）で混合した後、ゲル化させたクマ忌避剤。
【請求項２】
シキミの実、枝，葉を前述石臼で、非加熱状態で５ミクロン以下の微粒子に粉砕し、テングサ由来のゲル状の寒天に忌避有効成分が分解しない低温加熱状態（４０℃以上５  ８℃以下）で混合した後、ゲル化させたクマ忌避剤。
【請求項３】
クマ忌避有効成分を含むゲル化した寒天からの有効成分及び水分の揮散を一定レベルで抑制するための多くの針穴あきの合成樹脂フィルムの蓋もしくは袋を内部にそなえた密封が可能な容器で、かつ人が歩行中携行できるか、または屋外に吊り下げられるように紐を取り付けた容器。
【発明の詳細な説明】
【技術分野】
【０００１】本発明は、クマの忌避方法及び忌避剤に関し、環境や野菜等の作物を有害物質で汚染することなく、また人体に害を及ぼすことなく安全に優れた忌避効果を即効的にかつ持続的にさらに安価に提供する忌避方法及び忌避剤に関する。
【背景技術】
【０００２】近年、山林での山菜採りや、渓流釣りの人々がクマに襲われる人身事故が多発し、年平均十数人の被害が発生している。またクマによる農作物の被害はシイの実不作の年は８億円に達する年もあるとされている。また中山間地域では人間の生活圏にまで出没し危険な状況となっている。クマの撃退法は昔から様々な方法があり、クマと出会わないよう音を発したり、光を発生させて追い払ったり、生活圏では電流を流す防護柵や超音波を発したり、畑に木酢液を散布したりなど様々な対策が行われている。【０００３】しかしながらこれらの方法はいづれも忌避効果が確かではなく、防護柵や超音波装置、発光設備などは初期コストが相当高い。一般に害獣忌避剤とされている化学物質もあるがいづれも小動物対象であったり、または主として鹿、イノシシを対象とする忌避剤であってクマに忌避効果があるかどうかは明確ではない。また人には悪臭が強いためクマ除けに携行することはできない。漢方の生薬を原料とする忌避剤もあるが生薬原料であるためコストが高い。
【先行技術文献】
【特許文献】
【０００４】
【特許文献１】特開２０１５−１１２０９８
【特許文献２】特開２００７−００１８７１
【特許文献３】特開２００４−０６７５２２
【特許文献４】特開２００２−１７３４０１
【特許文献５】特開平８−０８９１５３
【発明の概要】
【発明が解決しようとする課題】
【０００５】忌避剤を製造する工程で酵素等の忌避有効成分を分解しないことが最も求められる。既存の加工方法のように煮沸による溶解やアルコール抽出等の工程では有効成分が分解し、効果の低い忌避剤しか得られない。【０００６】また低温抽出を可能とするには、事前に使用する原料の細胞膜をひとつづつ物理的に粉砕して、有効成分を取りだしておかなければならない。【０００７】環境汚染がなく、作物の発育阻害がなく、人体への刺激などの影響がない天然物で、悪臭もなくかつ低コストの原料を使用しなければならない。【０００８】製品となった忌避剤は、数か月くらいの長期使用が可能でなければならないため、成分揮散が緩やかでなければならない。【０００９】山菜採りや渓流釣りなどの屋外活動中でも携行できるような形態であるとともに農地でも長期使用できる形態が必要である。
【課題を解決するための手段】
【００１０】有効成分を取り出すために原料の細胞膜を低温で破壊し５ミクロン以下にしなければならない。原材料として生のナスの実をヘタを含んで上部３分２まで切り取り、本出願者の一人である湯澤猛の発明によるひき臼（特開平１２−１１９１９１粉末レイシ製造用石臼及びその石臼を使用した粉末レイシの製造方法）により非加熱状態で５ミクロン以下の粒子に粉砕する。一般にこのような粉砕をおこなう場合、凍結乾燥を行うが、忌避剤の有効成分はその凍結乾燥気化熱による温度上昇ででさえも分解するため上記以外の方法は不可能である。【００１１】原料としてはナスに代わるものとして、シキミを使用しても効果的なクマ忌避有効成分が得られる。使用するシキミの部位は実、枝，葉で生の状態で、ミキサーで粗びきしたものを前述石臼で５ミクロン以下に粉砕する。【００１２】別途にテングサ由来の寒天を作り置き、ゲル化していないゾルの状態（およそ４０℃以で寒天製品によって温度は変動）でかつ忌避剤有効成分が分解しない温度以下（最高限度およそ５８℃）まで下げておいて、これと混合する。そのゾルの状態で小分け容器に注入した後、冷却してゲル化して製品とする。【００１３】容器は深さ２ｃｍ、縦５ｃｍ、横６ｃｍで６０ｍｌの容量の直方体とし寒天を一杯に充填する。容器にはゲルの寒天からの忌避有効成分と水分の揮散を抑制するため微細な針穴が多数あけられた合成樹脂膜の内カバーまたは内袋が寒天をカバーしており、使用時には密閉した外ふたを外して使用する。容器には屋外で使用したり携行するのに使いやすいよう紐をとりつける。
【発明の効果】
【００１４】クマが馴化しない忌避有効成分が十分含有されているため即効性があると同時に永続性がある。また１箱６０ｍｌで６か月間、半径３０ｍをカバーするため畑や住宅まわりでの忌避剤使用量は比較的少量で済む。山林などへの携行も簡単で安全、人体にも無害で悪臭もなく、不快感をあたえない。
【発明を実施するための形態】
【００１５】クマが出没する季節には予防措置として半年間、居住エリアや畑作地や養蜂場周辺に３０ｍ間隔で外蓋を開けた本忌避剤をひもで吊りさげ、またクマの出没が予測される地域への外出時は外蓋を開けた本忌避剤を携行する。
(57)【要約】【課題】  本発明による骨粗鬆症の治療方法は、安価なグルタミン酸塩を有効かつ簡便な手段で投与することにより、血管内濃度を上昇することができる治療方法を提供することを課題とする。【解決手段】  本発明による骨粗鬆症の治療方法では、グルタミン酸またはその塩を舌下錠またはパッチにより投与することにより、血液中に有効に摂取させることを特徴とする。【選択図】なし【特許請求の範囲】
【請求項１】
グルタミン酸またはその塩を舌下錠またはパッチにより投与することにより、血液中に有効に摂取させることを特徴とする骨粗鬆症の治療方法。
【発明の詳細な説明】
【技術分野】
【０００１】  骨粗鬆症は、骨破壊細胞による骨組織の破壊・吸収が骨芽細胞による骨形成を上回ることにより発生する疾患である。骨粗鬆症の患者は閉経後の女性が多く、日本国内に１０００万人以上存在するといわれている。
【背景技術】
【０００２】  骨粗鬆症は社会的な影響が大きいこともあって、多くの治療方法が提案されている。例えば特許文献１には、Ｌ型アミノ酸トランスポーター阻害剤を含有する、骨粗鬆症の予防及び／又は治療剤であって、
Ｌ型アミノ酸トランスポーター阻害剤が、
（１）２−アミノビシクロ−（２，２，１）−ヘプタン−２−カルボン酸又はその薬理学的に許容される塩；
（２）ＬＡＴ１に対するＲＮＡ干渉誘導性ＲＮＡ若しくはアンチセンス核酸又はこれらの核酸を発現し得る発現ベクター；
（３）ＬＡＴ２に対するＲＮＡ干渉誘導性ＲＮＡ若しくはアンチセンス核酸又はこれらの核酸を発現し得る発現ベクター；又は
（４）ＣＤ９８を特異的に認識し、且つ該ＣＤ９８とヘテロダイマーを形成するＬ型アミノ酸トランスポーターのアミノ酸輸送機能を阻害する抗体である骨粗鬆症の予防及び／又は治療剤
が開示されている。【０００３】  また特許文献２には、セマフォリン４ＤとプレキシンＢ１との結合阻害物質を有効成分とする骨疾患の予防・治療剤が開示されている。【０００４】  一方、英語論文によると、雌性マウスの卵巣を摘出すると、２８日後には子宮重量が極端に低下するとともに、大腿骨と脛骨の骨密度の低下や、脊椎骨の強度が著明に低下するので、動物が骨粗鬆症を発症していることが分かる。ところが、卵巣摘出後に毎日１回だけグルタミン酸を腹腔内に投与した動物では、このような骨粗鬆症の症状がすべて改善された。その時に各動物の骨髄内のグルタミン酸濃度を測定すると、卵巣摘出にかかわらずグルタミン酸投与群では常に高いグルタミン酸濃度が検出された。このことにより、グルタミン酸が骨粗鬆症に対して有効であることがわかる。【０００５】  一般的に腹腔内投与ではすぐに血流中に物質が出現するが、経口投与の場合には小腸粘膜から吸収されたのちに、門脈、肝臓を経由してから心臓に到達して初めて物質は全身に分布する。ただ、グルタミン酸の場合には経口投与すると小腸粘膜細胞で全て消費されるので、門脈には出現しないことが知られている。【０００６】
【特許文献１】特許第５８６６１３８号公報
【特許文献２】特許第５９２５７６８号公報
【発明の開示】
【発明が解決しようとする課題】
【０００７】  上記の先行技術の治療剤では、投与による効果発揮の指向性が記述されていないため、投与手段を選ばない。ただし、薬剤としてはかなり特殊になるため、調製費用が高価となる。【０００８】  一方、グルタミン酸塩の場合、薬剤としての費用は安価であるが、血管内濃度を上げるためには投与の方法が問題となる。また、一定量を毎日投与する必要性を考えると、患者に対して負担の少ない投与方法が望まれる。したがって、本発明は、安価なグルタミン酸塩を有効かつ簡便な手段で投与することにより、血管内濃度を上昇することができる治療方法を提供することを課題とする。
【課題を解決するための手段】
【０００９】  上記課題を解決するため本発明による骨粗鬆症の治療方法では、グルタミン酸またはその塩を舌下錠またはパッチにより投与することにより、血液中に有効に摂取させることを特徴とする。
【発明の効果】
【００１０】  本発明による骨粗鬆症の治療方法によれば、摂取方法が簡便であるため、患者が毎日摂取しても負担が少なく、またグルタミン酸塩は広く市場に流通しているため安価に入手できる。従って、有効な治療方法を簡便に利用することが可能となる。
【発明を実施するための最良の形態】
【実施例】
【００１１】  以下、実施例に基づいて本発明の好適な実施態様について説明する。第１の実施例としては、グルタミン酸塩を舌下錠として投与する場合である。舌下錠の場合、口内より直接吸収され小腸粘膜を通過しないため、血管内濃度を上昇させることが可能となる。【００１２】  以上、舌下錠についての実施例について述べたが、口内ではなくパッチとして皮膚吸収させることも可能である。この場合も皮膚から直接吸収されるため、血管内濃度を上昇させることが可能となる。
【産業上の利用可能性】
【００１３】  以上述べたように、本発明による骨粗鬆症の治療方法では、摂取方法が簡便であるため、患者が毎日摂取しても負担が少なく、またグルタミン酸塩は広く市場に流通しているため安価に入手できる。従って、骨粗鬆症の治療にきわめて有効である。
(57)【要約】【課題】可燃物、不燃物の仕分けゴミ箱において空き缶など不燃物のゴミが、可燃物に投棄され仕分けの精度が、低くゴミ箱の設置者が、再仕分けを行っている。【解決手段】可燃物専用のゴミ箱に金属探知機を取り付けることにより、金属のゴミが投棄されたらお知らせをする。これにより分別の精度向上を図る。又、お知らせ方法を変更できる様にし、分別の精度に合わせる事や、設置する場所などを考慮する必要など、使い勝手を良くする。【選択図】なし【特許請求の範囲】
【請求項１】
可燃物及び不燃物の分別タイプのゴミ箱において可燃物専用ゴミ箱に金属探知機を付け、金属のごみを入れた場合、お知らせ信号が出るようにする。
【請求項２】
お知らせ信号については、使用場所、用途に伴い、ブザー及びメッセージタイプにする。仕分けの効果により通知レベル変換できるようにする。
【請求項３】
金属探知機本体部分をゴミ箱と分離できるようにして、使用中のゴミ箱にも取り付け可能にする。
ゴミ箱劣化に伴う交換時に交換可能なものにする。
【発明の詳細な説明】
【技術分野】
【０００１】本発明は、分別を必要とするゴミ箱に関する。
【背景技術】
【０００２】従来の、業務用、および公共機関の使用する分別タイプのゴミ箱は、仕分けの表記のみで、仕分けの間違いや、ルール違反は、使用者任せになっている。
【発明の概要】
【発明が解決しようとする課題】
【０００３】業務用、および公共機関の使用する分別を必要とするゴミ箱に金属物を探知させ空き缶等の仕分け間違いをお知らせするもの。
これによりゴミ箱を使用する者が、分別の間違いや、ルールを守らせる効果を期待する。【０００４】仕様する場所および分別の効果に対応できるよう音声の調整、および注意メッセージ、ご利用のアナウンスを発信できるようにする。【０００５】器具は、再利用できるよう取り外し可能な物にする。
【課題を解決するための手段】
【０００６】可燃物専用ゴミ箱に、金属探知機を取付け、探知の信号を発信し、ゴミ箱を使用する者にお知らせをする。【０００７】お知らせの方法については、ゴミ箱の設置場所、使用用途に合わせ音量レベル、およびメッセージタイプにする。
【発明の効果】
【０００８】ごみ箱を使用する者にお知らせをすることで、ゴミ箱の使用者に、分別のルールを守らせることが出来る。又ゴミ箱を提供する者も仕分けが、簡素化され効率化が図れる。
【図面の簡単な説明】
【０００９】
【図１】金属感知器付きゴミ箱の全体図、不燃物、および可燃物の分別を必要とする場合の使用全体図
【図２】金属探知機本体の全体図、
【図３】金属探知機の側面からの図
【発明を実施するための形態】
【００１０】以下図１〜図３についての説明
【００１１】図１感知機をゴミ箱にとりつけ金属のゴミが投棄されたらこれを知らせる仕組み
【００１２】形状の違うゴミ箱に対しても取付け可能なように、折り曲げ可能にし、上部に形状を変えられる金属フックをつけ取り外し、またゴミ箱の交換が便利に出来るようにする。
【産業上の利用可能性】
【００１３】ごみの仕分けの精度向上及び、利用者の分別の意識向上、受け入れ側の仕事の効率化が図れる。
【図１】
2018100185.tif 000002
2018100185.tif 000003
【手続補正書】
【提出日】平成29年3月15日(2017.3.15)
【手続補正２】
【補正対象書類名】図面
【補正対象項目名】全図
【補正方法】変更
【補正の内容】
【図１】
2018100185.tif 000004
【図２】
2018100185.tif 000005
【図３】
2018100185.tif 000006
(57)【要約】【課題】汗を吸わなく、蒸れる大きな足の人や小さな足の人どんな足の人にもご自身の足にフィットするゴムの締め付けを解決し、表糸と裏糸の逆編みにより、汗やにおいの吸収力をアップさせることを目的とする。【解決手段】履きの入り口である上部の履口２と、靴下の先端で爪先を覆う爪先部４と、これら以外の本体３からなり、本体３は、踵を覆うための踵部３２と、踵部３２以外のレッグ部３１とからなり、踵部３２は、レッグ部３１より補強していることを特徴とする円筒状の靴下。【選択図】図１
2018059251.tif 000002
【特許請求の範囲】
【請求項１】
履きの入り口である上部の履口２と、靴下の先端で爪先を覆う爪先部４と、これら以外の本体３からなり、本体３は、踵を覆うための踵部３２と、踵部３２以外のレッグ部３１とからなり、踵部３２は、レッグ部３１より補強していることを特徴とする円筒状の靴下。
【請求項２】
履きの入り口である上部の履口２と、靴下の先端で爪先を覆う爪先部４と、これら以外の本体３のすべてが逆編みであることを特徴とする請求項１記載の円筒状の靴下。
【請求項３】
履口２は、伸縮の糸（ポリウレタン・ナイロン）を、本肌にあたらない外側に使用して、本体３のレッグ部３１には、外側に伸縮の糸（ポリウレタン・ナイロン）を使用し、内側には、天然素材を使用し、本体３の踵部３２の外側は、伸縮の糸（ポリウレタン・ナイロン）を、レッグ部と同じ本数使用し、内側は、天然素材を補強の為、レッグ部より多く使用し、爪先４は、踵部と同じ構成で、伸縮の糸（ポリウレタン・ナイロン）を、レッグ部と同じ本数使用し、内側は、天然素材を補強の為、レッグ部より多く使用したことを特徴とする請求項１記載の円筒状の靴下。
【発明の詳細な説明】
【技術分野】
【０００１】円筒状の靴下に関する。
【背景技術】
【０００２】従来は、足のサイズごとに、多種類の大きさの靴下を揃える必要があった。また、靴下の形状が多種類になるため、コスト高になっていた。
【発明の概要】
【発明が解決しようとする課題】
【０００３】特に足の小さな人や大きな人にあう靴下がなく、はき口のゴム糸が締めつけて、きつい、肌が弱いので天然素材を履きたいが、天然繊維１００％の商品はずれるなどの課題があった。汗をすわなく、蒸れる大きな足の人や小さな足の人どんな足の人にもご自身の足にフィットするゴムの締め付けを解決し、表糸と裏糸の逆編みにより、汗やにおいの吸収力をアップさせることを目的とする。
【課題を解決するための手段】
【０００４】履きの入り口である上部の履口２と、靴下の先端で爪先を覆う爪先部４と、これら以外の本体３からなり、本体３は、踵を覆うための踵部３２と、踵部３２以外のレッグ部３１とからなり、踵部３２は、レッグ部３１より補強していることを特徴とする円筒状の靴下。【０００５】履きの入り口である上部の履口２と、靴下の先端で爪先を覆う爪先部４と、これら以外の本体３のすべてが逆編みであることを特徴とする円筒状の靴下。【０００６】履口２は、伸縮の糸（ポリウレタン・ナイロン）を、本肌にあたらない外側に使用して、本体３のレッグ部３１には、外側に伸縮の糸（ポリウレタン・ナイロン）を使用し、内側には、天然素材を使用し、本体３の踵部３２の外側は、伸縮の糸（ポリウレタン・ナイロン）を、レッグ部と同じ本数使用し、内側は、天然素材を補強の為、レッグ部より多く使用、爪先４は、踵部と同じ構成で、伸縮の糸（ポリウレタン・ナイロン）を、レッグ部と同じ本数使用し、内側は、天然素材を補強の為、レッグ部より多く使用したことを特徴とする円筒状の靴下。
【発明の効果】
【０００７】個々の足のサイズにフィットさせた靴下を提供できる。逆編みにすることにより、汗やにおいの吸収をアップさせ、履き口のゴムを使用しないので、ゴムによるいやな締め付けをなくすことができる。
【図面の簡単な説明】
【０００８】
【図１】本発明の円筒状の靴下の構成
【発明を実施するための形態】
【０００９】本発明の円筒状の靴下は、踵をなくし筒状にし、足にフィットするようにした円筒状靴下で、靴下の裏表の素材を逆編みにしている。表側はかかとをなくし、筒状にして、個々の足にフィットする構造にした。ゴムをなくし、肌にあたる方（内側）に天然繊維を使用して、肌にあたらない外側に伸縮の糸を使用した構成である。
【００１０】図１に示すように、本発明の円筒状の靴下１は、履きの入り口である上部の履口２と、靴下の先端で爪先を覆う爪先部４と、これら以外の本体３からなり、本体３は、踵を覆うための踵部３２と、踵部３２以外のレッグ部３１とからなる。
踵部３２は、レッグ部３１より補強している。
【００１１】履口２は、ゴムを使用せず、伸縮の糸（ポリウレタン・ナイロン）を、本肌にあたらない外側に使用して、ゴムを使用しなくても、ずれないようにし、肌側は、肌触りをよくし、汗とその匂いの吸収するように天然素材を使用している。
【００１２】本体３のレッグ部３１には、外側に伸縮の糸（ポリウレタン・ナイロン）を使用し、内側には、天然素材を使用している。
【００１３】本体３の踵部３２の外側は、伸縮の糸（ポリウレタン・ナイロン）を、レッグ部と同じ本数使用し、内側は、天然素材を補強の為、レッグ部より多く使用する。
【００１４】爪先４は、踵部と同じ構成で、伸縮の糸（ポリウレタン・ナイロン）を、レッグ部と同じ本数使用し、内側は、天然素材を補強の為、レッグ部より多く使用する。
【符号の説明】
【００１５】１  円筒状の靴下
２  履口
３  本体
３１  レッグ部
３２  踵部
４  爪先部
【図１】
2018059251.tif 000003